(57)【要約】【課題】  コスト高を招くこと無く内部の状態を確認可能とする。【解決手段】  芳香器１を下部構成部１２とカバー１３で構成し、カバー１３内に薬剤容器１４を交換可能に配置する。カバー１３上部に吸気口１１１を設け、下部の対向した部位に覗き穴１１２を開設する。薬剤容器１４を位置決めした状態において、薬剤容器１２１の第１側壁面１２５を一方の覗き穴１１２に沿って近接して配置し、第２側壁面１２６を他方の覗き穴１１２に沿って近接して配置する。カバー１３を下部構成部材１２に取り付けた状態で、薬剤容器１２１から揮散した気化薬剤が貯留される貯留空間１３１をカバー１３内に形成し、吸気口１１１から流入した空気を貯留空間１３１を介して排出口１３４から放出する。【選択図】        図２
2006158469.tif 000002
【特許請求の範囲】
【請求項１】
薬剤を収容した透明性を有する薬剤容器をカバーで覆い、前記薬剤容器より気化した気化薬剤を貯留する貯留部を前記カバー内に形成するとともに、該カバーに設けられた吸気口より吸入した空気を前記貯留部を介して排出口から排出して前記気化薬剤を放出する薬剤揮散器であって、
前記カバーに覗き穴を開設するとともに、前記薬剤容器の側壁面を前記覗き穴に沿って近接して配置したことを特徴とする薬剤揮散器。
【請求項２】
前記覗き穴を、前記カバーの対向する部位にそれぞれ設けたことを特徴とする請求項１記載の薬剤揮散器。
【請求項３】
薬剤を収容した透明性を有する薬剤容器をカバーで覆い、前記薬剤容器より気化した気化薬剤を貯留する貯留部を前記カバー内に形成するとともに、ファンを間欠的に駆動して、該カバーに設けられた吸気口より吸入した空気で、前記貯留部に貯留した空気を排出口から排出して気化薬剤を放出する薬剤揮散器であって、
前記カバーに覗き穴を開設するとともに、前記薬剤容器の側壁面を前記覗き穴に沿って近接して配置したことを特徴とする薬剤揮散器。
【請求項４】
前記覗き穴を、前記カバーの対向する部位にそれぞれ設けたことを特徴とする請求項３記載の薬剤揮散器。
【発明の詳細な説明】
【技術分野】
【０００１】
本発明は、例えば芳香成分を揮散する薬剤揮散器に関する。
【背景技術】
【０００２】
従来、芳香成分を揮散する薬剤揮散器としては、芳香器が知られている（例えば、特許文献１）。
【０００３】
この芳香器は、上部に芳香タンクを備えている。該芳香タンクは、香料を収容した透明の香料収納カセットと、該香料収納カセットを覆うカバーとによって構成されており、該カバーは、透明体によって構成されている。
【０００４】
これにより、香料の減り具合などの変化を外部から観察できるように構成されている。
【特許文献１】特開２０００−１８９５０６号公報
【発明の開示】
【発明が解決しようとする課題】
【０００５】
しかしながら、このような薬剤揮散器にあっては、コスト面からカバーを透明なプラスチックで形成することとなるが、透明プラスチックは、薬剤によって曇化し易く、内部が見えなくなるとともに見栄えが悪化してしまう。
【０００６】
また、一部を耐薬性の高い透明体で構成することも考えられるが、部品点数の増加に伴いコスト高となってしまう。
【０００７】
本発明は、このような従来の課題に鑑みてなされたものであり、コスト高を招くこと無く内部の状態を確認することができる薬剤揮散器を提供することを目的とするものである。
【課題を解決するための手段】
【０００８】
前記課題を解決するために本発明の請求項１の薬剤揮散器にあっては、薬剤を収容した透明性を有する薬剤容器をカバーで覆い、前記薬剤容器より気化した気化薬剤を貯留する貯留部を前記カバー内に形成するとともに、該カバーに設けられた吸気口より吸入した空気を前記貯留部を介して排出口から排出して前記気化薬剤を放出する薬剤揮散器であって、前記カバーに覗き穴を開設するとともに、前記薬剤容器の側壁面を前記覗き穴に沿って近接して配置した。
【０００９】
すなわち、薬剤を収容した薬剤容器を覆うとともに、薬剤容器より気化した気化薬剤を貯留する貯留部を形成するカバーには、覗き穴が開設されており、前記薬剤容器は、その側壁面が前記覗き穴に沿って近接して配置される。
【００１０】
このため、カバー内に設けられた前記薬剤容器の内部の状態は、前記カバーに設けられた覗き穴より透明性を有した前記薬剤容器の側壁面から確認される。このとき、前記薬剤容器の側壁面は、前記覗き穴に近接して配置されている。このため、当該覗き穴から入る光が前記側壁面を介して前記薬剤容器内に入るため、該薬剤容器内へ光が入り込まない場合と比較して、内部の確認が容易に行われる。
【００１１】
そして、前記薬剤容器の側壁面を前記覗き穴に沿って近接して配置することで、前記カバーに開設された前記覗き穴が前記側壁面で閉鎖される。これにより、前記カバーで形成された貯留部の不用意な開放が防止される。
【００１２】
また、請求項２の薬剤揮散器においては、前記覗き穴を、前記カバーの対向する部位にそれぞれ設けた。
【００１３】
すなわち、カバーに開設された覗き穴は、前記カバーの対向する部位に設けられており、一方の覗き穴の裏側には、他方の覗き穴が配置されることとなる。
【００１４】
このため、一方の覗き穴から薬剤容器の内部を確認する際には、他方の覗き穴から入り込む光が利用される。
【００１５】
そして、請求項３の薬剤揮散器においては、薬剤を収容した透明性を有する薬剤容器をカバーで覆い、前記薬剤容器より気化した気化薬剤を貯留する貯留部を前記カバー内に形成するとともに、ファンを間欠的に駆動して、該カバーに設けられた吸気口より吸入した空気で、前記貯留部に貯留した空気を排出口から排出して気化薬剤を放出する薬剤揮散器であって、前記カバーに覗き穴を開設するとともに、前記薬剤容器の側壁面を前記覗き穴に沿って近接して配置した。
【００１６】
すなわち、薬剤を収容した薬剤容器を覆うとともに、薬剤容器より気化した気化薬剤を貯留する貯留部を形成するカバーには、覗き穴が開設されており、前記薬剤容器は、その側壁面が前記覗き穴に沿って近接して配置される。
【００１７】
このため、カバー内に設けられた前記薬剤容器の内部の状態は、前記カバーに設けられた覗き穴より透明性を有した前記薬剤容器の側壁面から確認される。このとき、前記薬剤容器の側壁面は、前記覗き穴に近接して配置されている。このため、当該覗き穴から入る光が前記側壁面を介して前記薬剤容器内に入るため、該薬剤容器内へ光が入り込まない場合と比較して、内部の確認が容易に行われる。
【００１８】
また、前記薬剤容器の側壁面を前記覗き穴に沿って近接して配置することで、前記カバーに開設された前記覗き穴が前記側壁面で閉鎖される。これにより、前記カバーで形成された貯留部の不用意な開放が防止される。
【００１９】
ここで、このような間欠ファンの薬剤揮散器では、ファン停止中において自然揮散した薬剤を薬剤貯留部に貯留充満させ、これをファンが作動したときに排出する構造であり、効率よく薬剤を適用空間に拡散できるように構成されている。このため、このような構成の薬剤揮散器において、特に有効な構成となる。
【００２０】
また、請求項４の薬剤揮散器では、前記覗き穴を、前記カバーの対向する部位にそれぞれ設けた。
【００２１】
すなわち、カバーに開設された覗き穴は、前記カバーの対向する部位に設けられており、一方の覗き穴の裏側には、他方の覗き穴が配置されることとなる。
【００２２】
このため、一方の覗き穴から薬剤容器の内部を確認する際には、他方の覗き穴から入り込む光が利用される。
【発明の効果】
【００２３】
以上説明したように本発明の請求項１及び請求項３の薬剤揮散器にあっては、カバー内に設けられた薬剤容器の内部の状態を、前記カバーに設けられた覗き穴より透明性を有した前記薬剤容器の側壁面を介して確認することができる。
【００２４】
このため、前記カバーを不透明な素材で形成することができるので、カバーを透明なプラスチックで形成しなければならなかった従来と比較して、薬剤による変色等に起因した不具合を防止することができる。また、カバーの一部を、耐薬性の高い透明体で構成する場合と比較して、部品点数の増加に押さえることができ、低コスト化を図ることができる。
【００２５】
また、前記薬剤容器の側壁面は、前記覗き穴に近接して配置されており、当該覗き穴から入る光を前記側壁面を介して前記薬剤容器内に導くことができる。これにより、該薬剤容器が前記覗き窓から離れた位置に配置され薬剤容器内に光が届かない場合と比較して、内部の確認を容易に行うことができる。
【００２６】
さらに、前記薬剤容器の側壁面は、前記覗き穴に沿って近接して配置されているので、前記カバーに開設された前記覗き穴を前記側壁面によって閉鎖することができる。このため、吸気口より吸入した空気をカバー内に形成された貯留部を介して排出口から放出する通流経路において、前記覗き穴による中途部での不用意な開放を防止することができる。これにより、前記貯留部に貯留された気化薬剤の前記排出口からの放出を効率良く行うことができる。
【００２７】
ここで、請求項３の間欠ファンの薬剤揮散器では、ファン停止中において自然揮散した薬剤を薬剤貯留部に貯留充満させ、これをファンが作動したときに排出する構造であり、効率よく薬剤を適用空間に拡散できるように構成されている。このため、このような構成の薬剤揮散器において、特に有効な構成となり得る。
【００２８】
また、請求項２及び４の薬剤揮散器においては、一方の覗き穴から内部を確認する際には、これに対向する部位に設けられた他方の覗き穴から入り込む光を利用して、前記薬剤容器の内部を確認することができる。
【００２９】
これにより、内部の視認性を、より高めることができる。
【発明を実施するための最良の形態】
【００３０】
（第１の実施の形態）
【００３１】
以下、本発明の第１の実施の形態を図に従って説明する。図１は、本実施の形態にかかる薬剤揮散器としての芳香器１を示す図であり、該芳香器１は、トイレや居住空間で使用されるものである。
【００３２】
この芳香器１の芳香器本体１１は、図２にも示すように、下部を構成する下部構成部１２と、該下部構成部１２の上部に着脱自在に取り付けられるカバー１３とによって構成されている。該カバー１３内には、薬剤容器１４が交換可能に設けられており、該薬剤容器１４に収容された液状薬剤を揮散できるように構成されている。
【００３３】
前記下部構成部材１２は、図３に示すように、底部を構成する容器部２１と、該容器部２１の上部開口部を閉鎖して上下を隔てる隔成部２２と、該隔成部２２上に配置される送出手段としてのファン２３と、前記隔成部２２の上部に間隔を置いて配置されるリング状のリングフィン２４と、該リングフィン２４の上部に間隔を置いて配置される薬剤載置部２５とによって構成されている。
【００３４】
前記容器部２１は、図４に示すように、楕円形の底面３１と、該底面３１の周縁に起立した周壁３２とによって容器状に形成されている。前記底面３１には、上方に膨出した裏面開口状の電池収容部３３が形成されており、当該電池収容部３３に底面側から電池を交換可能に収容できるように構成されている。前記電池収容部３３には、支柱３４，・・・が四カ所に立設されており、各支柱３４，・・・の端部には、前記電池収容部３３側に連通する連通穴３５，・・・が設けられている。また、前記周壁３２には、発光ダイオードが挿入されるライト穴３６が設けられており、その逆側には、スイッチ３７ａが挿入されるスイッチ穴３７が設けられている。
【００３５】
この容器部２１上に配置される前記隔成部２２の周囲部には、図５に示すように、内側から外縁へ向かうに従って上方に傾斜した下部傾斜面４１が形成されており、その内側には、円筒部４２が四カ所に設けられている。各円筒部４２，・・・の中央部には、円形穴４３，・・・が開設されており、各円形穴４３，・・・は、前記容器部２１に設けられた前記支柱３４，・・・の連通穴３５，・・・と合致する位置に設けられている。
【００３６】
この隔成部２２の裏面には、プリント基板５１が固定されており、該プリント基板５１に構成された電子回路は、前記電池収容部３３内の電池から電源供給を受けて作動するように構成されている。前記プリント基板５１には、前記電子回路によって一定時間駆動と停止を繰り返すように回動制御されるモータ５２が設けられており、該モータ５２は、前記隔成部２２の中央に膨出形成されたモータ取付部５３内に収容された状態で固定されている。このモータ５２の回転軸５４は、前記隔成部２２を挿通して上方に突出しており、この回転軸５４には、前記ファン２３が固定されている。
【００３７】
該ファン２３は、図３に示したように、前記回転軸５４に取り付けられるボス部６１と、該ボス部６１より側方に延出する延出片６２，・・・と、各延出片６２，・・・に支持され前記モータ取付部５３を包囲するように配置される円筒部６３とによって構成されている。該円筒部６３には、複数のスリット６４，・・・が設けられており、各スリット６４，・・・の縁部からは、内側へ向けて斜めに延出する整流フィン６５，・・・が設けられている。これにより、当該ファン２３が回動された際には、前記各延出片６２，・・・間の開口部分６６，・・・から導入した空気を、前記各スリット６４，・・・から外周部へ排出できるように構成されている。
【００３８】
前記隔成部２２上に配置される前記リングフィン２４は、図６に示すように、楕円リング状に形成されており、その内側には、平坦な平坦部７１が設けられている。この平坦部７１は、前記隔成部２２の前記円筒部４２，・・・に支持されるように構成されており、当該リングフィン２４と前記隔成部２２との間には、前記円筒部４２，・・・の高さ分の間隙が確保されている。前記円筒部４２による支持位置の中央には、上下に貫通する貫通穴７２，・・・が設けられており、当該平坦部７１の外周部には、内側から外周縁へ向かうに従って上方に傾斜した中傾斜面７３が形成されている。
【００３９】
このリングフィン２４上に配置される前記薬剤載置部２５の中央部には、図７に示すように、四カ所の支持部８１，・・・で支持された円形の棚部８２が設けられており、前記各支持部８１，・・・間には、上下を連通する通流部８３，・・・が設けられている。前記棚部８２の縁部には、上方に延出する長方形板状の側面当接リブ８４，８４が対向して設けられており、各側面当接リブ８４，８４の裏面には、補強条８５，８５が一体形成されている。これら各側面当接リブ８４，８４によって前記棚部８２に載置された前記薬剤容器１４を位置決めできるように構成されている。
【００４０】
前記棚部８２の外周部には、内側から外周縁へ向かうに従って上方に傾斜した上部傾斜面９１が形成されており、該上部傾斜面９１の上面には、上方に延出する係止片９２，９２が相対向する部位に立設されている。各係止片９２，９２の上端には、前記カバー１３の内側面と係合する係合爪９３，９３が突設されており、該係合爪９３，９３の下部には、押圧操作用の凸部９４，９４が形成されている。
【００４１】
また、前記薬剤載置部２５の下面には、下方へ向けて延出する脚部１０１，・・・が前記上部傾斜面９１の内側の４カ所に設けられており、隔脚部１０１，・・・の基端部には、大径の大径部１０２が形成され、中途部に段部１０３が形成されている（一カ所のみ図示）。また、各脚部１０１，・・・の端部には、小孔が設けられている（図示省略）。
【００４２】
これにより、芳香器本体１１組み立て時には、前記薬剤載置部２５の前記各脚部１０１，・・・を前記リングフィン２４の前記貫通穴７２，・・・へ挿通した際に、前記段部１０３が前記リングフィン２４の上面に当接することによって、当該リングフィン２４と前記薬剤載置部２５との間に所定の間隙を確保できるように構成されている。そして、前記貫通穴７２，・・・を挿通した各脚部１０１，・・・を前記隔成部２２の円筒部４２，・・・に内嵌し、当該隔成部２２を前記容器部２１に取り付けるとともに、この状態で、前記容器部２１の前記電池収容部３３側から当該容器部２１に設けられた前記支柱３４，・・・の連通穴３５，・・・にタッピンネジを挿入するとともに、該タッピンネジを前記脚部１０１，１０１の小孔に螺入することによって、前記薬剤載置部２５と前記リングフィン２４と前記隔成部２２とを前記容器部２１に固定できるように構成されている。
【００４３】
前記カバー１３は、図２に示したように、不透明（白色）の樹脂によって形成されており、当該カバー１３は、横断面が楕円形状であって上方へ向かうに従って縮径する山形状に形成されている。このカバー１３の上端部には、水平方向に延在するスリット状の吸気口１１１，・・・が四カ所に設けられており、下部には、内部に連通する楕円形の覗き穴１１２，１１２が当該カバー１３側面の相対向する箇所に開設されている（図１０及び図１２参照）。
【００４４】
前記薬剤載置部２５の前記係止片９２に対応する部位には、前記凸部９４を露出させる為の切欠部１１３が設けられており、前記凸部９４の押圧操作を可能としている。この切欠部１１３，１１３上部の内側面には、前記薬剤載置部２５に設けられた前記係止片９２，９２の係合爪９３，９３と係合する係合溝が形成されており（図示省略）、前記係合片９２，９２の前記係合爪９３，９３と前記カバー１３の係合溝とが係合することによって、当該カバーを前記下部構成部１２に取り付けた状態で固定できるように構成されている。
【００４５】
また、前記薬剤容器１４は、図８に示すように、無色透明のガラス瓶によって形成されており、矩形容器状の容器本体１２１と、円筒状の口部１２２とによって一体形成されている。該口部１２２には、図外のキャップを螺着する為の雄ねじ１２３が形成されており、キャップ装着時に口部１２２の開口部を閉鎖できるように構成されている。
【００４６】
前記容器本体１２１の底面１２４は、長方形状に形成されており、対向する短辺からは第１側壁面１２５及び第２側壁面１２６が起立している。また、前記底面１２４の対向する長辺からは、第３側壁面１２７及び第４側壁面１２８が起立しており、前記第１及び第２側壁面１２５，１２６は、図９及び図１０にも示すように、前記カバー１３の内側面に沿って延在する湾曲面で構成されている。
【００４７】
前記第３及び第４側壁面１２７，１２８には、図８に示したように、上下に延在する縦長の溝部１２９，１２９が形成されており、取付時において、図２及び図９に示したように、前記薬剤載置部２５に設けられた前記側面当接リブ８４，８４が前記各溝部１２９，１２９内に挿入された状態で、当該薬剤容器１４が位置決めされるように構成されている。
【００４８】
この位置決め状態では、図１０に示すように、前記薬剤容器１２１の前記第１側壁面１２５が前記カバー１３に設けられた一方の覗き穴１１２に沿って近接して配置されるとともに、前記第２側壁面１２６が他方の覗き穴１１２に沿って近接して配置されるように構成されている。このとき、前記カバー１３は、樹脂成型品からなり、前記薬剤容器１２１の各壁面１２５，１２６と前記カバー１３の内側面との間には、約１ｍｍの間隔が形成されるように設計されている。なお、この間隙は、２ｍｍ程度であれば、本発明の効果に影響がないことは実験により確認されている。
【００４９】
前記薬剤容器１２１の前記口部１２２には、芯材が収容されており（図示省略）、該芯材が容器本体１２１内の液状薬剤を吸い上げることによって、芯材の露出部より前記液状薬剤を揮散できるように構成されている。
【００５０】
これにより、図１１に示すように、前記下部構成部材１２に前記薬剤容器１４をセットするとともに前記カバー１３を取り付けて芳香器本体１１形成した状態で、該芳香器本体１１のカバー１３内には、前記薬剤容器１２１から揮散した気化薬剤が貯留される貯留部としての貯留空間１３１が形成されており、スイッチ操作に従って前記モータ５２を作動して前記ファン２３を回動することにより、前記カバー１３上端部の吸気口１１１，・・・から前記貯留空間１３１内に空気を導入するとともに、該貯留空間１３１に貯留した気化薬剤を、前記薬剤載置部２５の上部傾斜面９１下面が構成する上壁面１３２と前記隔成部２２の前記下部傾斜面４１上面が構成する下壁面１３３との間にて当該芳香器本体１１の全周に渡って形成された排出口１３４から外部へ放出できるように構成されている。
【００５１】
そして、前記薬剤容器１４がセットされた前記下部構成部材１２に前記カバー１３を取り付けて該カバー１３で前記薬剤容器１４を覆った状態において、図１２に示すように、前記薬剤載置部２５の棚部８２に載置された前記薬剤容器１４の前記容器本体１２１における対向した第１及び第２側壁面１２５，１２６の上縁１２５ａ，１２６ａが前記カバー１３の内側面に線接触するように、前記棚部８２の高さが設定されている。これにより、前記薬剤容器１４は、不用意な上下動が防止されている。
【００５２】
以上の構成にかかる本実施の形態において、液状薬剤を収容した薬剤容器１４を覆うとともに、薬剤容器１４より気化した気化薬剤を貯留する貯留空間１３１を形成するカバー１３には、覗き穴１１２，１１２が開設されており、前記薬剤容器１４は、第１及び第２側壁面１２５，１２６が前記覗き穴１１２，１１２に沿って近接して配置される。
【００５３】
このため、前記カバー１３内に設けられた前記薬剤容器１４の液状薬剤の残量等の内部の状態は、前記カバー１３に設けられた覗き穴１１２，１１２より無色透明の前記薬剤容器１４の第１及び第２側壁面１２５，１２６を介して確認することができる。
【００５４】
このため、前記カバー１３を不透明な素材で形成することができるので、カバー１３を透明なプラスチックで形成しなければならなかった従来と比較して、薬剤の変色等に起因した不具合を防止することができる。また、カバー１３の一部を、耐薬性の高い透明体で構成する場合と比較して、部品点数の増加を押さえることができ、低コスト化を図ることができる。
【００５５】
また、前記薬剤容器１４の各側壁面１２５，１２６は、前記覗き穴１１２，１１２に近接して配置されており、当該覗き穴１１２，１１２から入る光を前記各側壁面１２５，１２６を介して前記薬剤容器１４内に導くことができる。これにより、該薬剤容器１４が前記覗き窓１１２，１１２から離れた位置に配置され薬剤容器１４内に光が届かない場合と比較して、内部の確認を容易に行うことができる。
【００５６】
そして、前記薬剤容器１４の各側壁面１２５，１２６は、前記覗き穴１１２，１１２に沿って近接して配置されており、前記カバー１３に開設された前記覗き穴１１２，１１２を前記各側壁面１２５，１２６によって閉鎖することができる。このため、カバー１３上部の吸気口１１１，・・・より吸入した空気を前記貯留空間１３１を介して排出口１３４から放出する通流経路において、前記覗き穴１１２，１１２による中途部での不用意な開放を防止することができる。
【００５７】
これにより、前記貯留空間１３１に貯留した気化薬剤が覗き穴１１２，１１２から漏れ出したり、あるいは液状薬剤が気化される薬剤容器１４の口部１２２より下流側に設けられた前記覗き穴１１２，１１２から空気が流入し前記排出口１３４から直接排出されてしまうといった不具合を防止することができる。よって、前記貯留空間１３１に貯留された気化薬剤の前記排出口１３４からの放出を効率良く行うことができる。
【００５８】
また、前記覗き穴１１２，１１２は、前記カバー１３の対向する部位に設けられており、一方の覗き穴１１２の裏側には、他方の覗き穴１１２が配置されることとなる。
【００５９】
このため、一方の覗き穴１１２から薬剤容器１４の内部を確認する際には、これに対向する部位に設けられた他方の覗き穴１１２から入り込む光を利用して、前記薬剤容器１４の内部を確認することができる。
【００６０】
これにより、前記薬剤容器１４内部の視認性を、より高めることができる。
【００６１】
なお、本実施の形態では、薬剤容器１４の第１及び第２側壁面１２５，１２６をカバー１３に設けられた覗き穴１１２，１１２に沿って延在する湾曲面で構成した場合を例に挙げて説明したが、これに限定されるものでは無い。
【００６２】
（第２の実施の形態）
【００６３】
すなわち、図１３に示すように、薬剤容器１４の第１及び第２側壁面１２５，１２６に、カバー１３の覗き穴１１２，１１２に挿入されカバー１３外部へ突出する凸部２０１，２０１を形成しても良い。
【００６４】
この場合、前記薬剤容器１４の内部の状態の確認がさらに容易となる。
【００６５】
さらに、内部にランプを設けても良い。
【００６６】
また、前記各実施の形態にあっては、容器本体１２１の短辺を構成する第１側壁面１２５及び第２側壁面１２６を覗き穴１１２，１１２に沿って近接して配置した場合を例に挙げて説明したが、これに限定されるものでは無い。
【００６７】
（第３の実施の形態）
【００６８】
すなわち、図１４に示すように、容器本体１２１の長辺を構成する第３側壁面１２７及び第４側壁面１２８を覗き穴１１２，１１２に沿って近接して配置しても良い。
【００６９】
この場合、カバー１３への面接部分を長くとることがでるため、当該薬剤容器１４の固定性を高めることができる。
【００７０】
各実施の形態において吸気口１１１付近にフィルタを設け、洗浄した空気に薬効を付与させて周囲に排出させるようにすることもできる。
【図面の簡単な説明】
【００７１】
【図１】本発明の第１の実施の形態を示す図である。
【図２】同実施の形態のカバーを外した状態を示す斜視図である。
【図３】同実施の形態の下部構成部材を示す分解斜視図である。
【図４】同実施の形態の容器部を示す拡大図である。
【図５】同実施の形態の隔成部を示す拡大図である。
【図６】同実施の形態のリングフィンを示す拡大図である。
【図７】同実施の形態の薬剤載置部を示す拡大図である。
【図８】同実施の形態の薬剤容器を示す拡大図である。
【図９】同実施の形態の薬剤載置部に薬剤容器を載置した状態を示す平面図である。
【図１０】同実施の形態の薬剤容器とカバーとの関係を示す模式図である。
【図１１】同実施の形態の内部の様子を示す説明図である。
【図１２】図１１のＡ−Ａ線に沿った断面に相当する模式図。
【図１３】本発明の第２の実施の形態を示す模式図である。
【図１４】本発明の第３の実施の形態を示す模式図である。
【符号の説明】
【００７２】
１    芳香器
１３    カバー
１４    薬剤容器
１１１    吸気口
１１２    覗き穴
１２１    容器本体
１２５    第１側壁面
１２６    第２側壁面
１３４    排出口
【図１】
2006158469.tif 000003
【図２】
2006158469.tif 000004
【図３】
2006158469.tif 000005
【図４】
2006158469.tif 000006
【図５】
2006158469.tif 000007
【図６】
2006158469.tif 000008
【図７】
2006158469.tif 000009
【図８】
2006158469.tif 000010
【図９】
2006158469.tif 000011
【図１０】
2006158469.tif 000012
【図１１】
2006158469.tif 000013
【図１２】
2006158469.tif 000014
【図１３】
2006158469.tif 000015
【図１４】
2006158469.tif 000016